(57)【要約】【課題】  消費電力を小さく抑えながら、クリアで大きな音を出すことができる音声出力装置を備えた空気調和機を提供する。【解決手段】  表示部３００の前面側パネル３１０の一部に音声出力装置３４０のスピーカー３４１を設置し、スピーカー３４１の背面側に音声出力を増幅させるための音響空間３５０を設ける。【選択図】  図２
2006071165.tif 000002
【特許請求の範囲】
【請求項１】
空気吸込口と空気吹出口とを有する室内機筐体を備え、上記空気吸込口と空気吹出口とを結ぶ空気通路内に熱交換器と室内ファンとが配置されている空気調和機において、
上記室内機筐体の所定部位に、スピーカーをスピーカーケース内に収納してなり、上記室内機筐体内の一部分を音響空間とする音声出力装置が設けられていることを特徴とする空気調和機。
【請求項２】
上記スピーカーケースは、上記スピーカーを支持する前面側スピーカーケースと、上記前面側スピーカーケースと組み合わされ上記スピーカーの背面側に上記音響空間を形成する背面側スピーカーケースとを備えていることを特徴とする請求項１に記載の空気調和機。
【請求項３】
上記スピーカーケースはその背面側が開放されているとともに、上記スピーカーケースの背面側には音反射板が配置されていることを特徴とする請求項１に記載の空気調和機。
【請求項４】
上記スピーカケース内には上記スピーカを含む回路基板が設けられており、上記回路基板の背面側に断熱材が配置されていることを特徴とする請求項３に記載の空気調和機。
【請求項５】
上記スピーカーケースには、ＬＥＤなどの表示要素がさらに組み込まれていることを特徴とする請求項１ないし４のいずれか１項に記載の空気調和機。
【請求項６】
上記室内機筐体には、上記空気吸込口を有し上記熱交換器ユニットの上面から前面にかけてを覆う上面パネルをさらに含み、上記音声出力装置は、上記空気吹出口の上部と上記上面パネルとの間に設けられることを特徴とする請求項１〜５のいずれか１項に記載の空気調和機。
【発明の詳細な説明】
【技術分野】
【０００１】
本発明は空気調和機に関し、さらに詳しく言えば、室内機側に音声出力装置を備えている空気調和機に関するものである。本発明の空気調和機には、室外機と室内機とを分離してなるスプリット型と、室外機と室内機とを同一筐体内に収納してなる一体型の双方が含まれる。
【背景技術】
【０００２】
空気調和機の多くには操作用のリモートコントローラ（いわゆるリモコン）が付属されている。リモコンには各種操作ボタンが取り付けられており、その操作ボタンを操作することによって、使用者は運転の開始・停止，運転モードの選択，室内温度の設定やおやすみタイマーなどの設定ができるようになっている。
【０００３】
また、多機能化を追求して、特許文献１には環境音楽を室内に流す目的で声出力装置を備えている空気調和機が提案されている。すなわち、特許文献１においては、空気吹出口の内部に音声出力用のスピーカーを配置して、空気調和機の使用中に環境音楽を室内に向けて流し、居住空間の快適性を図るようにしている。
【０００４】
【特許文献１】登録実用新案第３０００３９３号公報
【発明の開示】
【発明が解決しようとする課題】
【０００５】
ところで、現在のほとんどの機種においては、リモコンに運転状況を表示するための表示パネルが設けられており、使用者はその表示パネルを見て現在の運転状況を確認することができるが、目の不自由な人や暗所などにおいては表示パネルを確認しにくい。
【０００６】
このような場合、上記特許文献１に記載の音声出力装置によれば、操作ボタンを押した際に現在の運転状況などを音声で伝えることができるが、問題点としてスピーカーが空気吹出口の中に設けられているため、スピーカーから発せられた音が風雑音に紛れてしまうおそれがある。
【０００７】
また、風量の変化によって音の聞こえ方に変化が生じることがあり、その場合にはいちいち音量を調節しなければならず煩わしい。この種の問題は、スピーカーの出力を大きくすることである程度解決することはできるが、スピーカーの出力を上げた場合、消費電力が高くなることは否めない。
【０００８】
したがって、本発明の課題は、スピーカーによる音声出力装置を有する空気調和機において、ことさら音量を大きくすることなくクリアな音を出すことができるようにすることにある。
【課題を解決するための手段】
【０００９】
上記した課題を解決するため、本発明は以下に示すいくつかの特徴を備えている。まず請求項１に記載の発明は、空気吸込口と空気吹出口とを有する室内機筐体を備え、上記空気吸込口と空気吹出口とを結ぶ空気通路内に熱交換器と室内ファンとが配置されている空気調和機において、上記室内機筐体の所定部位に、スピーカーをスピーカーケース内に収納してなり、上記室内機筐体内の一部分を音響空間とする音声出力装置が設けられていることを特徴としている。
【００１０】
請求項２に記載の発明は、上記請求項１において、上記スピーカーケースは、上記スピーカーを支持する前面側スピーカーケースと、上記前面側スピーカーケースと組み合わされ上記スピーカーの背面側に所定容積の音響空間を形成する背面側スピーカーケースとを備えていることを特徴としている。
【００１１】
請求項３に記載の発明は、上記請求項１において、上記スピーカーケースはその背面側が開放されているとともに、上記スピーカーケースの背面側には音反射板が配置されていることを特徴としている。
【００１２】
請求項４に記載の発明は、上記請求項３において、上記スピーカケース内には上記スピーカを含む回路基板が設けられており、上記回路基板の背面側に断熱材が配置されていることを特徴としている。
【００１３】
請求項５に記載の発明は、上記請求項１ないし４のいずれか１項において、上記スピーカーケースには、ＬＥＤなどの表示要素がさらに組み込まれていることを特徴としている。
【００１４】
請求項６に記載の発明は、上記請求項１ないし５のいずれか１項において、上記パネル部材には、上記空気吸込口を有し上記熱交換器ユニットの上面から前面にかけてを覆う上面パネルをさらに含み、上記音声出力装置は、上記上記空気吹出口の上部と上記上面パネルとの間に設けられることを特徴としている。
【発明の効果】
【００１５】
請求項１に記載の発明によれば、スピーカー背面に音響空間が設けられているため、音の反射作用により、ことさら音量を大きくすることなくクリアな音を出すことができる。本発明において、音響空間とはある閉ざされた空間をいい、発せられた音が壁などに何度も反射して室内に向けて送り出すものをいう。
【００１６】
請求項２に記載の発明によれば、前面側と背面側の一対のスピーカーケースを対向配置して箱形のスピーカーケースとすることにより、スピーカケース内または表示部内に水などが入り込まない音響空間を作ることができる。
【００１７】
請求項３に記載の発明によれば、スピーカーケースの背面を開放し、その開放面に対向する音反射板を設けるという簡単な構成により、有効な音響空間を作ることができる。
【００１８】
請求項４に記載の発明によれば、スピーカケース内には基板が熱交換器の放射熱によって結露しないようにするための断熱材が設けられており、この断熱材を利用して音を反射させることができる。また、断熱材はウレタンフォームなどの発泡樹脂からなり、スピーカの振動によって筐体が振動する、いわゆるビビリ音を防止することもできる。
【００１９】
請求項５に記載の発明によれば、スピーカーケースを表示要素を組み込んだ表示部のケースと共通化をすることにより、部品工数などを減らすことができ、より安価に生産することができる。
【００２０】
請求項６に記載の発明によれば、音声出力装置を空気吹出口の上部と上面パネルとの間に設けたことにより、風雑音の影響を少なくできるばかりでなく、室内に向けて音を確実に流すことができる。
【発明を実施するための最良の形態】
【００２１】
次に、本発明の実施形態について図１ないし図８を参照しながら説明する。図１は本発明による空気調和機の一例を示す分解斜視図であり、図２はその中央縦断面図である。なお、ここで説明する空気調和機はスプリット型エアコンに含まれる室内機であるが、本発明は室外機と室内機を同一筐体内に収納してなる一体型にも適用可能である。一体型の場合、音声出力装置はその筐体の室内機側に設けられる。
【００２２】
図１に示すように、この室内機ユニット１は、図示しない取付金具を介して壁面に据え付けられるベースパネル１００と、ベースパネル１００の上面から前面に掛けてを覆うようにベースパネル１００に取り付けられる上面パネル２００とを備えており、いずれも合成樹脂の成型品からなる。
【００２３】
図２を併せて参照して、ベースパネル１００は、壁面に沿って平行な背面パネル１１０と、背面パネル１１０の下端から前面に向けて張り出すように形成されたアンダーパネル１２０とを含み、全体が断面Ｌ字状に形成されている。
【００２４】
このベースパネル１００には、送風ファンとしてのクロスフローファン２、熱交換器ユニット３およびドレンパン４などが格納されている。ベースパネル１００の両端には熱交換器ユニット３を支持する側板５ａ，５ｂが左右一対に設けられており、この側板５ａ，５ｂの間に熱交換器ユニット３が掛け渡されている。
【００２５】
この例において、熱交換器ユニット３は３つの熱交換器ユニット３１〜３３をほぼラムダ（Λ）型に組み合わせて連結したものからなり、クロスフローファン２の上部を覆うように取り付けられている。
【００２６】
前面側熱交換器ユニット３１，３２と背面側熱交換器ユニット３３とは、その頂部が連結板３４によって連結されている。連結板３４は、吸い込まれる空気が熱交換器ユニット３をバイパスしないようにするための封止板としても機能している。ベースパネル１００の一方の側板５ａの隣には、室内機ユニット１を駆動するための各種電源装置や電子部品などが格納された電装品箱６が設けられている。
【００２７】
背面パネル１１０には、背面側熱交換器ユニット３２によって生成されるドレン水を受け止める露受け部１１１が形成されており、露受け部１１１の背面下部には、各種配管や電線などが収納される収納部１１２が設けられている。
【００２８】
アンダーパネル１２０には、クロスフローファン２の送風作用によって空気を室内に向けて送出するための空気吹出口１２１が形成されている。この例において、空気吹出口１２１には空気の吹出方向を変えるための上下風向板１２２および左右風向板１２３のほかに、例えば急速暖房もしくは急速冷房運転時に床方向に向かって開くディフューザー１２４が設けられている。
【００２９】
ベースパネル１００には熱交換器ユニット３を覆うように上面パネル２００が取り付けられる。上面パネル２００は後端側に設けられた図示しない係止爪を介してベースパネル１００の背面パネル１１０の上端に固定され、先端がアンダーパネル１２０の先端側に向かってアーチ状に掛け渡されている。
【００３０】
この例によると、上面パネル２００にはほぼ全面にわたって空気吸込口２１０が設けられている。空気吸込口２１０はグリル桟状に形成されてよく、その開口面積は熱交換器ユニット３の上部投影面積よりも大きいことが好ましい。
【００３１】
空気吸込口２１０に沿って図示しないエアフィルタが配置される。この例では、フィルタ自動清掃装置が適用されており、図示しないが、フィルタを機外へ向けて往復的に移動させるフィルタ移動手段と、そのフィルタの移動経路に沿って配置されるフラシ付きのダストボックスとを備えている。これに関連して、上面パネル２００の前面には機外に向けて移動するエアフィルタによって押し開かれる開閉パネル２２０が設けられている。
【００３２】
また、ベースパネル１００の先端には、室内機ユニット１の運転状態をＬＥＤ表示するための表示部３００が設けられている。図３に示すように、表示部３００は全体が矩形状の表示ケースを備え、この例ではベースパネル１００の先端側の中央にネジ止めによって取り付けられている。
【００３３】
図４を併せて参照して、表示部３００の表示ケースは、室内側に配置される前面側ケース３１０と、上記前面側ケース３１０の開放端を塞ぐように配置される背面側ケース３２０とを含み、これらはともに合成樹脂の成型品からなる。
【００３４】
前面側ケース３１０は内部が中空な断面コ字状に形成されており、その底部（図３では正面）には、表示素子としてのＬＥＤ（発光ダイオード）３３０が５箇所に設けられている。この例において、ＬＥＤ３３０は５箇所に設けられているが、その設置数は仕様に応じて任意に変更可能である。
【００３５】
各ＬＥＤ３３０は図示しない回路基板に実装した状態で前面側ケース３１０内に収納され、例えば運転状態を示すパイロットランプ，フィルタ清掃ランプ，空気清浄運転状態を示すパイロットランプ，タイマー設定状態を示すタイマーランプなどとして用いられる。
【００３６】
この例において、表示部３００の表示ケースの一部分がスピーカー３４１を取り付けるスピーカーケースとして用いられている。すなわち、表示部３３０の片側には、室内に向けて音声情報を出力するスピーカー３４１を含む音声出力装置３４０が設けられている。
【００３７】
スピーカー３４１は図示しない回路基板に支持された状態で、前面側ケース３１０に形成されている開口部内に配置されている。この例において、スピーカー３４１には平面スピーカーが用いられているが、コーン型スピーカーであってもよい。
【００３８】
背面側ケース３２０は前面側ケース３１０とほぼ対称的に形成された断面コ字状のケースで、表示部３００の裏蓋として前面側ケース３１０の背面側開口部の例えば内周面に嵌合され、これにより内部にスピーカー３４１のための音響空間３５０を形成する。
【００３９】
これによれば、スピーカー３４１から発せられる音のうち背面側の音は、音響空間３５０によって反射されて表面側に放出されるため、小さな音量でも大きく聞こえるため風雑音などの影響をより少なくすることができる。
【００４０】
また、スピーカ３４１が室内空間に向けて斜め下を向いた状態でレイアウトされているため、音が室内に届きやすい。したがって、スピーカの音孔を外観面に設置せずに、吹出口などの送風路内に設けてもよいし、設けなくても十分な音量を得られる。さらには、ＬＥＤ表示部と一体化したことにより、配線などの簡略化できコストを下げることができるばかりでなく、音がとともにユーザの注意をＬＥＤパネルに向けることができ、表示状態を確認させることができる。
【００４１】
この例において、音声出力装置３４０を含む表示部３００は、その背面側が裏蓋としての背面側ケース３２０によって覆われており、例えば熱交換器ユニット３のドレン水や熱交換器３を洗浄した際の洗浄水が表示部３００内に入り込むおそれがないため、本発明にとって好ましい態様である。
【００４２】
上記した例では、表示部３００の前面側ケース３１０と背面側ケース３２０とによりスピーカー３４１の背面に音響空間３５０を形成しているが、図５に示すように、背面側が開放された前面側ケース３１０のみを用い、その背面側に音反射板３６０を立設して、前面側ケース３１０と音反射板３６０との間を音響空間とすることもできる。
【００４３】
また別の例として、図６に示すように、前面側ケース３１０の開放された背面側を直近の熱交換器３１，３２と対向的に配置して、その熱交換器３１，３２を音反射板として兼用することもできる。これによれば、上記音反射板３６０が不要となる。
【００４４】
上記した各例において、音声出力装置３４０は表示部３００内にＬＥＤ３３０ととも収納されているが、これ以外に例えば紫外線照射ユニットやリモコンの受信ユニットに一体に組み込まれていてもよく、音響空間が形成できるものであれば、特に限定されない。
【００４５】
また、音声出力装置は単独のケースを有する形態として室内機ユニット１に設けられてもよい。その一例を図７の斜視図および図８の側面図に示す。この音声出力装置４００は、ベースパネル１００の電装品箱６の下側に取り付けられている。この音声出力装置４００は正面側を向いて配置される前面側ケース４１０と、前面側ケース４１０の背面に配置される背面側ケース４２０とを有し、それらを合致させることにより、内部に音響空間４４０が形成されている。
【００４６】
前面側ケース４１０にはスピーカー４３０が取り付けられており、前面にはスピーカー４３０から発せられた音を正面に出すための開口部４１１が開口されている。これによれば、スピーカー４３０から出た音は開口部４１１から出されるとともに、音響空間４４０によってさらに効率的に放出されるため、よりクリアで大きな音を発生することができる。
【００４７】
この例において、音声出力装置４００は前面側ケース４１０と背面側ケース４２０との組み合わせケースから構成されているが、前面側ケース４１０のみを設置して電装品箱６の表面を利用して音響空間を形成しても良いし、また電装品箱６に一体的に設けられていても良い。
【００４８】
上記した各例において、室内機ユニット１はキャビネットの前面側から上面側に掛けて空気吸込口２１０が形成され、下側に空気吹出口１２１が形成されたいわゆるシーリングウォール型エアコンに適用した場合を例にとって説明したが、一般的な横長で四角いキャビネットを有する室内機ユニットに適用してもよい。
【図面の簡単な説明】
【００４９】
【図１】本発明の一実施形態に係る空気調和機（室内機ユニット）の分解斜視図。
【図２】空気調和機ユニットの中央縦断面図。
【図３】表示部を正面側から見た拡大斜視図。
【図４】表示部を裏面側から見た分解斜視図。
【図５】表示部の第１の変形例を示す断面図。
【図６】表示部の第２の変形例を示す断面図。
【図７】音声出力装置の別の取付態様を示す斜視図。
【図８】音声出力装置の別の取付態様を示す側面図。
【符号の説明】
【００５０】
１  空気調和機（室内機ユニット）
２  クロスフローファン
３  熱交換器ユニット
１００  ベースパネル
１１０  背面パネル
１２０  アンダーパネル
１２１  空気吹出口
２００  上面パネル
２１０  空気吸込口
３００  表示部
３１０，４１０  前面側ケース
３２０，４２０  背面側ケース
３３０  ＬＥＤ
３４０，４００  音声出力装置
３５０，４４０  音響空間
【図１】
2006071165.tif 000003
【図２】
2006071165.tif 000004
【図３】
2006071165.tif 000005
【図４】
2006071165.tif 000006
【図５】
2006071165.tif 000007
【図６】
2006071165.tif 000008
【図７】
2006071165.tif 000009
【図８】
2006071165.tif 000010